(57)【要約】【課題】薬剤揮散器の大きさを、薬剤を収納する薬剤用容器の大きさに留め、しかも、動的な趣向を楽しみつつ薬剤の残量を容易に確認できる薬剤揮散器および薬剤用容器を提供すること。【解決手段】薬剤揮散器１０は、揮散成分が揮散し体積が収縮する薬剤１２と、薬剤１２を収容する薬剤用容器１４とを備える。薬剤用容器１４は、開口部を有し薬剤１２が収容される容器本体２０と、開口部に被せられ揮散孔２２０８が形成された表面板部２２０６を有する蓋板２２とを備える。容器本体２０に、薬剤１２の部分に係止する係止部１６が設けられている。係止部１６に向かって収縮する薬剤収縮部分に連結され薬剤収縮部分の収縮に伴って表面板部２２０６の面方向に沿って移動する移動装飾部１８が設けられている。【選択図】図１
2019129987.tif 000002
【特許請求の範囲】
【請求項１】
揮散成分が揮散し体積が収縮する薬剤と、前記薬剤を収容する薬剤用容器とを備える薬剤揮散器であって、
前記薬剤用容器は、開口部を有し前記薬剤が収容される容器本体と、前記開口部に被せられ揮散孔が形成された表面板部を有する蓋板とを備え、
前記容器本体に、前記薬剤の部分に係止する係止部が設けられ、
前記係止部に向かって収縮する薬剤収縮部分に連結され前記薬剤収縮部分の収縮に伴って前記表面板部の面方向に沿って移動する移動装飾部が設けられている、
ことを特徴とする薬剤揮散器。
【請求項２】
前記薬剤収縮部分は、前記薬剤の収縮に伴って他の前記薬剤の箇所に比べて最も大きな収縮量で収縮する最大薬剤収縮部分である、
ことを特徴とする請求項１記載の薬剤揮散器。
【請求項３】
前記容器本体に、前記移動装飾部が連結された前記薬剤収縮部分と前記係止部が係止された前記薬剤の部分との間に位置する薬剤部分を、前記係止部が係止した前記薬剤の部分を除き残りの薬剤部分から切り離し前記薬剤収縮部分の移動方向を定める薬剤収縮用案内部が設けられている、
ことを特徴とする請求項１または２記載の薬剤揮散器。
【請求項４】
前記薬剤は容器本体内で仕切り板により複数に切り離され、前記係止部は切り離された前記薬剤毎にそれぞれ設けられ、前記薬剤収縮用案内部は前記係止部に対応して複数設けられ、前記移動装飾部は、前記薬剤収縮用案内部で収縮方向が定められた前記薬剤収縮部分毎に連結されて複数設けられている、
ことを特徴とする請求項３記載の薬剤揮散器。
【請求項５】
前記移動装飾部は、前記表面板部に設けられている、
ことを特徴とする請求項１〜４の何れか１項記載の薬剤揮散器。
【請求項６】
前記移動装飾部は、前記表面板部に配置された装飾部本体と、前記装飾部本体から突設されその先部が前記薬剤収縮部分に連結される脚部とを有している、
ことを特徴とする請求項５記載の薬剤揮散器。
【請求項７】
前記表面板部に、前記装飾部本体の移動方向を案内する装飾部用案内部が設けられ、
前記装飾部本体に、前記装飾部用案内部に係脱可能に結合する結合部が設けられている、
ことを特徴とする請求項６記載の薬剤揮散器。
【請求項８】
前記容器本体は、円形の底板部と、前記底板部の周囲から起立する側板部とを備え、
前記係止部は、底板部の前記側板部寄りの箇所に設けられ、
前記薬剤は、前記係止部に係止して前記底板部に対応した輪郭で前記側板部の内側に収容される体積をもった所定厚みの円盤状を呈し、
前記厚みよりも大きい寸法の高さを有し前記係止部を通り前記円形の直径上を通る想像線を挟んで前記底板部から起立し互いに対向する一対の仕切り板が設けられ、
前記一対の仕切り板により前記一対の仕切り板の間に位置する前記薬剤の部分は、前記係止部が係止した前記薬剤の部分を除き残りの薬剤の部分から切り離された帯状部分となり、
前記移動装飾部が連結された前記薬剤収縮部分は、前記前記係止部と反対に位置する前記帯状部分の先部であり、
前記薬剤収縮用案内部は、前記一対の仕切り板で構成され、
前記移動装飾部は、前記表面板部に配置された装飾部本体と、前記装飾部本体から突設され前記帯状部分の先部に連結される脚部とを有している、
ことを特徴とする請求項３記載の薬剤揮散器。
【請求項９】
開口部を有し揮散成分が揮散し体積が収縮する薬剤が収容される容器本体と、前記開口部に被せられ揮散孔が形成された表面板部を有する蓋板とを備えた薬剤用容器であって、
前記容器本体に、前記薬剤の部分に係止する係止部が設けられ、
前記蓋板に、前記係止部に向かって収縮する薬剤収縮部分に連結され前記薬剤収縮部分の収縮に伴って前記表面板部の面方向に沿って移動する移動装飾部が設けられている、
ことを特徴とする薬剤用容器。
【請求項１０】
前記容器本体に、前記移動装飾部が連結された前記薬剤収縮部分と前記係止部が係止された前記薬剤の部分との間に位置する薬剤部分を、前記係止部が係止した前記薬剤の部分を除き残りの薬剤部分から切り離し前記薬剤収縮部分の移動方向を定める薬剤収縮用案内部が設けられている、
ことを特徴とする請求項９記載の薬剤用容器。
【発明の詳細な説明】
【技術分野】
【０００１】
本発明は、芳香剤や消臭剤などの種々の揮散性を有する薬剤を収容した薬剤揮散器および薬剤用容器に関する。
【背景技術】
【０００２】
従来、揮散性を有する薬剤の残量を容易に確認でき、装飾体の動的な風合いを楽しむことができる薬剤揮散器が提供されている（特許文献１）。
この薬剤揮散器は、薬剤用容器の上部に開口部を設け、この開口部に上下に移動可能に装飾体を挿入して装飾体の上部を薬剤用容器の上方に位置させ、装飾体の下端を薬剤の上面に載せ、薬剤の減少に伴って装飾体を下降させるようにしたものである。
【先行技術文献】
【特許文献】
【０００３】
【特許文献１】特開２００５−６６７１号公報
【発明の概要】
【発明が解決しようとする課題】
【０００４】
しかしながら、このような薬剤揮散器では、薬剤用容器の開口部の上方に装飾体の上部が位置することから、装飾体を含んだ薬剤揮散器の全体が大きな高さとなり、薬剤揮散器を、上方に大きなスペースがある場所にしか設置できない不具合がある。
本発明は前記事情に鑑み案出されたものであり、その目的は、薬剤揮散器の大きさを、薬剤を収納する薬剤用容器の大きさに留め、しかも、動的な趣向を楽しみつつ薬剤の残量を容易に確認できる薬剤揮散器および薬剤用容器を提供することにある。
【課題を解決するための手段】
【０００５】
上記目的を達成するため本発明は、揮散成分が揮散し体積が収縮する薬剤と、前記薬剤を収容する薬剤用容器とを備える薬剤揮散器であって、前記薬剤用容器は、開口部を有し前記薬剤が収容される容器本体と、前記開口部に被せられ揮散孔が形成された表面板部を有する蓋板とを備え、前記容器本体に、前記薬剤の部分に係止する係止部が設けられ、前記係止部に向かって収縮する薬剤収縮部分に連結され前記薬剤収縮部分の収縮に伴って前記表面板部の面方向に沿って移動する移動装飾部が設けられていることを特徴とする。
また、本発明は、開口部を有し揮散成分が揮散し体積が収縮する薬剤が収容される容器本体と、前記開口部に被せられ揮散孔が形成された表面板部を有する蓋板とを備えた薬剤用容器であって、前記容器本体に、前記薬剤の部分に係止する係止部が設けられ、前記蓋板に、前記係止部に向かって収縮する薬剤収縮部分に連結され前記薬剤収縮部分の収縮に伴って前記表面板部の面方向に沿って移動する移動装飾部が設けられていることを特徴とする。
【発明の効果】
【０００６】
本発明によれば、移動装飾部が表面板部の面方向に沿って移動するので、動的な趣向を楽しみつつ薬剤の残量を容易に確認できる。
しかも、移動する移動装飾部を含んだ薬剤揮散器の大きさを、薬剤を収納する薬剤用容器の大きさに留めることができ、従来のように、薬剤揮散器を上方に大きなスペースがある場所にしか設置できないという不具合はなく、狭いスペースに設置でき、使い勝手に優れる。
また、表面板部を上向きにして使用することも、あるいは、水平方向に向けて使用することもでき、使い勝手に優れる。
【図面の簡単な説明】
【０００７】
【図１】使用初期における薬剤揮散器の斜視図で、移動装飾部と固定装飾部とが離れた状態を示した図である。
【図２】薬剤が収縮した使用終期における薬剤揮散器の斜視図で、移動装飾部と固定装飾部とが接触した状態を示した図である。
【図３】容器本体を斜め上方から見た斜視図である。
【図４】容器本体の断面正面図である。
【図５】蓋板の表面の斜視図である。
【図６】蓋板の裏面の斜視図である。
【図７】移動装飾部の表面の斜視図である。
【図８】移動装飾部の裏面の斜視図である。
【図９】容器本体に薬剤が収容された状態の平面図である。
【図１０】図９の状態から揮散成分が全て揮散した使用終期における薬剤の形状を示した図である。
【図１１】移動装飾部の変形例の説明図であり、（Ａ）は薬剤の使用初期における移動装飾部の位置を示し、（Ｂ）は使用終期における移動装飾部の位置を示した図である。
【図１２】薬剤揮散器の変形例の説明図で、（Ａ）は容器本体に薬剤が収容された状態の平面図、（Ｂ）は（Ａ）の状態から揮散成分が全て揮散した使用終期における薬剤の形状を示した図である。
【図１３】薬剤揮散器の変形例の説明図で、（Ａ）は容器本体に薬剤が収容された状態の平面図、（Ｂ）は（Ａ）の状態から揮散成分が全て揮散した使用終期における薬剤の形状を示した図である。
【発明を実施するための形態】
【０００８】
次に、本発明の薬剤揮散器および薬剤用容器の実施の形態を図面を参照して説明する。
図１、図２に示すように、薬剤揮散器１０は、薬剤１２と、薬剤１２を収容する薬剤用容器１４と、係止部１６（図３参照）と、移動装飾部１８とを含んで構成されている。
薬剤１２として、例えば、芳香剤や消臭剤などが挙げられる。
薬剤１２は、揮散成分と揮散成分を揮散可能に保持する収縮性を有するゲル基剤とで構成され固形またはゲル状を呈し、時間の経過に伴って揮散成分が揮散し体積が減少してき、すなわち収縮していき、平面視形状が小さくなり、また、厚さも薄くなる。
【０００９】
薬剤用容器１４は、容器本体２０と蓋板２２とを備えている。
図３に示すように、容器本体２０は、円形の底板部２００２と、底板部２００２の周囲から起立する側板部２００４とを備えている。
側板部２００４の外周面の上部には、外径を小さくした小径部２００６が設けられ、側板部２００４の内周面の上端の内側が開口部２００８となっている。
底板部２００２の直径上を通る想像線を挟んで底板部２００２から一対の仕切り板２０１０が起立し、一対の仕切り板２０１０は平行して互いに対向している。
一対の仕切り板２０１０は、容器本体２０に収容される薬剤１２に対して薬剤１２の収縮（移動）を可能とした状態で薬剤１２に接触する箇所である。
一対の仕切り板２０１０の長手方向の一端は側板部２００４の内周面に連結され、長手方向の他端は側板部２００４の内周面から離され、側板部２００４の内周面寄りの箇所に位置している。
【００１０】
係止部１６は、平面視した場合、一対の仕切り板２０１０の中心線上に位置し、すなわち、底板部２００２の直径上で、一対の仕切り板２０１０の端部と、側板部２００４の内周面との間に配置され、言い換えると、側板部２００４の内周面寄りの箇所に位置している。
係止部１６は、本実施の形態では、底板部２００２から突設された円柱状のピンで形成されている。
係止部１６は、薬剤用容器１４に収容される薬剤１２の部分に係止する箇所である。
係止部１６が１つの場合、時間の経過に伴って薬剤１２は係止部１６に向かって収縮し、係止部１６が係止する薬剤１２の周辺部分の収縮量が最も小さく、係止部１６から最も離れた薬剤１２の部分の収縮量が最も大きい。
すなわち、係止部１６は、薬剤１２の部分に係止し時間の経過に伴って収縮する薬剤１２の収縮量の分布を決定する箇所でもある。
【００１１】
より詳細に説明すると、図９に示すように、薬剤１２は側板部２００４の内周面の内側で底板部２００２上に収容される。
未使用の薬剤１２は、底板部２００２に対応した直径の円盤状を呈し、その底面は底板部２００２に収縮（移動）可能な状態で接触し、その外周面は一対の仕切り板２０１０に収縮（移動）可能な状態で接触すると共に、側板部２００４の内周面に近接しあるいは収縮（移動）可能な状態で接触している。
図４に薬剤１２の上面１２Ａを想像線で示すように、薬剤１２が底板部２００２上に収容された状態で、一対の仕切り板２０１０の上端は薬剤１２の上面１２Ａよりも上方に突出し、係止部１６は薬剤１２に埋設され、係止部１６の上端は薬剤１２の上面１２Ａの近傍に位置している。
したがって、底板部２００２上に収容された薬剤１２は、一対の仕切り板２０１０の間に位置する帯状部分１２０２と、一対の仕切り板２０１０の外側に位置する２つの円弧状部分１２０４とに切り離され、それら帯状部分１２０２と２つの円弧状部分１２０４の端部は係止部１６の近傍で接続されている。
【００１２】
時間の経過に伴って揮散成分が揮散していくと、帯状部分１２０２と２つの円弧状部分１２０４とは係止部１６に向かって収縮していく。
やがて、揮散成分が全てなくなった薬剤１２の使用終期では、図１０に示すように、帯状部分１２０２の先部１２０２Ａは一対の仕切り板２０１０の間で底板部２００２の中央に位置し、同様に、２つの円弧状部分１２０４の先部も底板部２００２の中央に位置する。
本実施の形態では、係止部１６と反対に位置する帯状部分１２０２の先部１２０２Ａが、薬剤１２の収縮に伴って他の薬剤１２の箇所に比べて最も大きな収縮量で収縮する、言い換えると最も大きな移動量で移動する最大薬剤収縮部分である。
そして、係止部１６の近傍の箇所を除き帯状部分１２０２は一対の仕切り板２０１０により２つの円弧状部分１２０４から切り離されているので、係止部１６から離れた帯状部分１２０２の先部１２０２Ａは、薬剤１２の収縮に伴って確実に一対の仕切り板２０１０の長手方向に沿って収縮する、言い換えると移動することになる。
この帯状部分１２０２の先部１２０２Ａには後述するように移動装飾部１８の脚部１８０４が連結される。
したがって、一対の仕切り板２０１０は、移動装飾部１８が連結された薬剤収縮部分（帯状部分１２０２の先部１２０２Ａ）と係止部１６が係止された薬剤１２の部分との間に位置する薬剤部分（帯状部分１２０２）を、係止部１６が係止された薬剤１２の部分を除き残りの薬剤部分（２つの円弧状部分１２０４）から切り離し薬剤収縮部分（帯状部分１２０２の先部１２０２Ａ）の収縮方向（移動方向）を定める薬剤収縮用案内部２４を構成している。
【００１３】
図５、図６に示すように、蓋板２２は、容器本体２０の側板部２００４の小径部２００６に挿脱可能に嵌合される側板部２２０４と、側板部２２０４の端部に接続され容器本体２０の開口部２００８に被せられる輪郭が円形の表面板部２２０６とを有している。
蓋板２２の側板部２２０４が容器本体２０の小径部２００６に嵌合された状態で、蓋板２２の側板部２２０４の外周面と容器本体２０の側板部２００４の外周面とは連続状となり、単一の円筒面を形成する。
表面板部２２０６には複数の揮散孔２２０８が設けられ、表面板部２２０６の外周部全周には装飾２０１０が形成されている。
また、表面板部２２０６の外周寄りの箇所から表面板部２２０６の直径上を延在して表面板部２２０６の中央に至る長さの長溝が形成され、この長溝により装飾部用案内部２６が構成されている。
さらに、表面板部２２０６には、表面板部２２０６の中央に位置する装飾部用案内部２６の端部に近接させてキャラクターや模様などを構成する固定装飾部２８が設けられている。
【００１４】
移動装飾部１８は、表面板部２２０６に設けられている。
図７、図８に示すように、移動装飾部１８は、装飾部本体１８０２と、脚部１８０４とを有している。
装飾部本体１８０２は固定装飾部２８と対をなすキャラクターや模様を構成している。
装飾部本体１８０２の裏面には、装飾部用案内部２６に係脱可能に結合する結合部１８０６が設けられている。本実施の形態では結合部１８０６は、装飾部本体１８０２の裏面から突設された一対の爪体１８０６Ａで構成されている。一対の爪体１８０６Ａが装飾部用案内部２６に係脱可能に結合することで、装飾部本体１８０２は、表面板部２２０６から外れることなく表面板部２２０６上で装飾部用案内部２６の長手方向に移動可能に配置される。
脚部１８０４は装飾部本体１８０２の裏面から突設されている。
装飾部本体１８０２が結合部１８０６を介して装飾部用案内部２６に移動可能に結合され、蓋板２２が容器本体２０に嵌合された状態で、脚部１８０４は一対の仕切り板２０１０の間に位置し、脚部１８０４の下端は容器本体２０の底板部２００２の近傍に位置している。
図９に示すように、脚部１８０４は一対の仕切り板２０１０の間隔よりも小さい寸法の幅Ｗで形成され、したがって、脚部１８０４が一対の仕切り板２０１０の間を移動すると、装飾部本体１８０２は装飾部用案内部２６に沿って脚部１８０４と共に移動する。
【００１５】
図１に示すように、移動装飾部１８は、一対の爪体１８０６Ａを介して固定装飾部２８と反対の装飾部用案内部２６の端部に寄せて表面板部２２０６に配置され、このような状態で脚部１８０４が、係止部１６と反対に位置する一対の仕切り板２０１０の端部間に位置するように、蓋板２２が、薬剤１２が収容された容器本体２０に嵌合される。
これにより脚部１８０４は、図９に示すように、最大薬剤収縮部分である帯状部分１２０２の先部１２０２Ａに埋設されて連結され、薬剤揮散器１０が構成される。
【００１６】
図１に示すように、本実施の形態の薬剤揮散器１０では、使用初期では、固定装飾部２８が表面板部２２０６の中央に位置し、移動装飾部１８が表面板部２２０６の外周部に位置し、固定装飾部２８と移動装飾部１８とが大きく離間している。
時間の経過に伴って揮散成分が揮散し薬剤１２が収縮していくと、帯状部分１２０２の先部１２０２Ａが係止部１６に近づく方向に移動していき、帯状部分１２０２の先部１２０２Ａに脚部１８０４が連結されているため、移動装飾部１８も係止部１６に近づく方向に移動していき、固定装飾部２８と移動装飾部１８との間隔が次第に小さくなっていく。
図２に示すように、やがて揮散成分が全て揮散した薬剤１２の使用終期では、固定装飾部２８と移動装飾部１８とが接触し、これにより使用者は薬剤１２が使用終期となったことを判断できる。
【００１７】
本実施の形態によれば、移動装飾部１８が表面板部２２０６の面方向に沿って移動するので、動的な趣向を楽しみつつ薬剤１２の残量を容易に確認できる。
しかも、移動装飾部１８を含めた薬剤揮散器１０の大きさを、薬剤１２を収納する薬剤用容器１４の大きさに留めたので、従来のように、薬剤揮散器１０を上方に大きなスペースがある場所にしか設置できないという不具合はなく、狭いスペースにも設置でき、使い勝手に優れる。
また、移動装飾部１８が表面板部２２０６の面方向に沿って移動するので、薬剤揮散器１０は、底板部２００２を床や棚に置いて表面板部２２０６を上向きにして使用することもでき、あるいは、容器本体２０にフックを取り付け適宜箇所に吊り下げることで表面板部２２０６を水平方向に向けて使用することもでき、したがって、横置きでも縦置きでもよく使い勝手に優れる。
【００１８】
また、移動装飾部１８は、薬剤１２の収縮にともなって移動する薬剤部分のうち他の薬剤部分に比べて収縮量が大きい薬剤収縮部分に連結されているので、時間経過に伴って移動装飾部１８がどのくらい移動しているのかが簡単に分かり、薬剤１２の残量の確認を容易に行なう上で有利となる。
特に、本実施の形態では、移動装飾部１８は、薬剤１２の収縮に伴って他の薬剤１２の箇所に比べて最も大きな収縮量で収縮する最大薬剤収縮部分に連結されているので、移動装飾部１８の移動量も大きく確保され、薬剤１２の残量の確認を容易に行なう上でより有利となる。
【００１９】
また、薬剤収縮用案内部２４は省略可能であるが、本実施の形態のように、脚部１８０４が連結された薬剤収縮部分の収縮方向を定める薬剤収縮用案内部２４を設けると、脚部１８０４が連結された薬剤収縮部分の収縮方向、すなわち、移動装飾部１８の移動方向が設計通りの方向となり、薬剤１２の残量の確認を容易に行なう上で有利となる。
また、装飾部用案内部２６も省略可能であるが、本実施の形態のように、表面板部２２０６に、装飾部本体１８０２の移動方向を案内する装飾部用案内部２６を設け、装飾部本体１８０２に装飾部用案内部２６に係脱可能に結合する結合部１８０６を設けると、移動装飾部１８が外れることなく移動装飾部１８の移動が円滑になされ、表面板部２２０６を上向きにして使用してもあるいは水平方向に向けて使用しても薬剤１２の残量の確認を容易に行なう上で有利となる。
【００２０】
なお、移動装飾部１８は、表面板部２２０６の外側から視認できるように容器本体２０の内部に設けてもよいが、本実施の形態のように移動装飾部１８を表面板部２２０６に設けると、移動装飾部１８により薬剤揮散器１０の装飾性や動的な趣向を高める上で有利となる。
移動装飾部１８を表面板部２２０６の外側から視認できるように容器本体２０の内部に設ける場合、移動装飾部１８は、使用初期においては表面板部２２０６に隠れて外側から視認できないように設け、使用終期においては表面板部２２０６の外側から視認できるように設けてもよく、あるいは、使用初期においては表面板部２２０６の外側から視認できるように設け、使用終期においては表面板部２２０６に隠れて外側から視認できるように設けてもよい。
図１１は、移動装飾部１８が使用終期において表面板部２２０６の外側から視認できるように容器本体２０の内部に設けられた場合を示している。この例では、移動装飾部１８は偏平な平板状を呈しており、その表面に薬剤の使用終期を表現した「おわり」の文字が形成されている。
移動装飾部１８の裏面から突設された脚部１８０４が帯状部分１２０２の先部１２０２Ａに埋設されて連結されている。
薬剤の使用初期では、図１１（Ａ）に示すように、移動装飾部１８は、表面板部２２０６の長溝２２１０から視認できない箇所に位置し、薬剤１２の体積の減少による帯状部分１２０２の先部１２０２Ａの移動に伴って移動装飾部１８が移動し、「り」、「わ」の文字がそれらの順に長溝２２１０に表示され、薬剤の使用終期では、図１１（Ｂ）に示すように、「おわり」の文字が長溝２２１０内に表示され、薬剤１２の残量の確認を容易に行なう上で有利となる。
【００２１】
また、移動装飾部１８を表面板２２０６に設ける場合、表面板部２２０６の外側から視認できるように表面板部２２０６の裏面に設けてもよいが、本実施の形態のように移動装飾部１８を表面板部２２０６の表面に設けると、薬剤揮散器１０の装飾性や動的な趣向を高める上で有利となる。
また、本実施の形態では、薬剤収縮用案内部２４と装飾部用案内部２６を共に直線状に形成した場合について説明したが、薬剤収縮用案内部２４を直線状に形成し、装飾部用案内部２６を曲線状に形成してもよく、あるいは、薬剤収縮用案内部２４を曲線状に形成し、装飾部用案内部２６を直線状に形成してもよく、あるいは、双方を曲線状に形成してもよい。
また、移動装飾部１８を複数設ける場合には、仕切り板により薬剤１２を複数に切り離し、切り離された薬剤１２に係止部１６をそれぞれ係止させ、移動装飾部１８を大きな収縮量で収縮する薬剤収縮部分にそれぞれ連結すればよい。
次に、このように移動装飾部１８を複数設けた変形例について説明する。
【００２２】
なお、以下の変形例の説明では、前記実施の形態と同様な箇所、部材に同一の符号を付し異なった点を重点的に説明する。
図１２に示す変形例では、不図示であるが、蓋板２２の表面板部２２０６に移動装飾部１８が２つ設けられ、表面板部２２０６に移動装飾部１８に対応して装飾部用案内部２６が２つ設けられている。
また、容器本体２０の底板部２００２に係止部１６が２つ設けられ、薬剤１２に大きな収縮量で収縮する薬剤収縮部分が２つ設けられ、それら薬剤収縮部分の収縮方向を定める薬剤収縮用案内部２４が２つ設けられている。
すなわち、薬剤揮散器１０の容器本体２０の底板部２００２上には、底板部２００２の直径上を延在して中央仕切り板２０２０が立設され、中央仕切り板２０２０の両側にそれぞれ側部仕切り板２０２２が立設されている。
各側部仕切り板２０２２の長手方向の一方の端部は、容器本体２０の側板部２００４に接続され、他方の端部は側板部２００４の内周面から切り離された内周面の近傍に位置し、各側部仕切り板２０２２は底板部２００２の中心を中心とした点対象の形状で配置され、この変形例では、中央仕切り板２０２０と２つの側部仕切り板２０２２とにより薬剤収縮用案内部２４が構成されている。
係止部１６は、平面視した場合、中央仕切り板２０２０と側部仕切り板２０２２の中心線上で側板部２００４の内周面寄りの箇所に設けられている。
【００２３】
図１２（Ａ）に示すように、未使用の薬剤１２は、底板部２００２に対応した直径の円盤状を呈し、容器本体２０に収容され、その外周面は中央仕切り板２０２０と側部仕切り板２０２２に収縮（移動）可能な状態で接触すると共に、側板部２００４の内周面に近接しあるいは収縮（移動）可能な状態で接触している。
このように薬剤１２が底板部２００２上に収容された状態で、薬剤１２は、中央仕切り板２０２０により２分される。そして２分された薬剤１２は、さらに、中央仕切り板２０２０と側部仕切り板２０２２との間に位置する帯状部分１２０２と、各側部仕切り板２０２２の外側に位置する円弧状部分１２０４とに切り離され、それら帯状部分１２０２と円弧状部分１２０４の端部は係止部１６の近傍で接続されている。
したがって、係止部１６と反対に位置する各帯状部分１２０２の先部１２０２Ａが、薬剤１２の収縮に伴って他の薬剤１２の箇所に比べて最も大きな収縮量で収縮する最大薬剤収縮部分であり、図１２（Ａ）に示すように、この最大薬剤収縮部分に各移動装飾部１８の脚部１８０４が連結されている。
【００２４】
時間の経過に伴って揮散成分が揮散し薬剤１２が収縮すると、最大薬剤収縮部分と共に脚部１８０４を介して移動装飾部１８は係止部１６に近づいていく。すなわち、各移動装飾部１８は表面板部２２０６の外周部から表面板部２２０６の中央部に近づいていく。
やがて、揮散成分がなくなった薬剤１２の使用終期では、図１２（Ｂ）に示すように、帯状部分１２０２の先部１２０２Ａは中央仕切り板２０２０と側部仕切り板２０２２の間で底板部２００２の中央に位置し、同様に、２つの円弧状部分１２０４の先部も底板部２００２の中央に位置し、各移動装飾部１８は表面板部２２０６の中央部に位置する。
なお、移動装飾部１８の装飾部本体１８０２をなすキャラクターや模様などは、移動装飾部１８の数や動きに応じて、あるいは用いるゲル基剤の収縮性に応じて、装飾性が発揮されるように適宜決定される。
したがって、このような変形例によっても、動的な趣向を楽しみつつ薬剤１２の残量を容易に確認でき、しかも、従来のように、薬剤揮散器１０を上方に大きなスペースがある場所にしか設置できないという不具合はなく、使い勝手に優れるという前記第１の実施の形態と同様な効果が奏される。
【００２５】
図１３に示す変形例では、不図示ではあるが、表面板部２２０６に移動装飾部１８が４つ設けられ、表面板部２２０６に移動装飾部１８に対応して装飾部用案内部２６が４つ設けられ、容器本体２０に係止部１６が４つ設けられ、薬剤１２に大きな収縮量で収縮する薬剤収縮部分が４つ設けられている。
底板部２００２と表面板部２２０６は正方形を呈し、底板部２００２上で仕切り板２０３０が正方形の対角線上を延在し、底板部２００２が４つの三角形の領域に仕切られ、この変形例では底板部２００２に薬剤収縮用案内部２４は設けられていない。
係止部１６は、各三角形の領域で正方形の中央近傍に設けられている。
【００２６】
図１３（Ａ）に示すように、未使用の薬剤１２は、底板部２００２に対応した正方形の板状を呈し容器本体２０に収容され、その外周面は仕切り板２０３０に収縮（移動）可能な状態で接触すると共に側板部２００４の内面に近接しあるいは収縮（移動）可能な状態で接触している。
このように薬剤１２が底板部２００２上に収容された状態で、薬剤１２は、仕切り板２０３０により４つの三角形の板状部分１２３０に切り離される。
切り離された薬剤１２の三角形の板状部分１２３０は、底板部２００２の中央近傍で係止部１６に係止し、各薬剤１２の三角形の板状部分１２３０で底板部２００２の４辺の中央近傍部分に移動装飾部１８の脚部１８０４を連結している。
移動装飾部１８の脚部１８０４が連結された底板部２００２の４辺の中央近傍部分は、係止部１６の近傍の薬剤部分に比べて収縮量が大きい薬剤収縮部分である。
【００２７】
時間の経過に伴って揮散成分が揮散し薬剤１２が収縮すると、薬剤収縮部分と共に脚部１８０４を介して移動装飾部１８は係止部１６に近づいていく。すなわち、各移動装飾部１８は表面板部２２０６の４辺の近傍から表面板部２２０６の中央部に近づいていく。
やがて、揮散成分がなくなった薬剤１２の使用終期では、図１３（Ｂ）に示すように、各薬剤１２の三角形の板状部分１２３０が収縮し底板部２００２の４辺と底板部２００２の中央との中間箇所に位置し、各移動装飾部１８は表面板部２２０６の４辺と表面板部２２０６の中央との中間箇所に位置する。
したがって、このような変形例によっても、動的な趣向を楽しみつつ薬剤１２の残量を容易に確認でき、しかも、従来のように、薬剤揮散器１０を上方に大きなスペースがある場所にしか設置できないという不具合はなく、使い勝手に優れるという前記第１の実施の形態と同様な効果が奏される。
【符号の説明】
【００２８】
１０  薬剤揮散器
１２  薬剤
１２０２  帯状部分
１４  薬剤用容器
１６  係止部
１８  移動装飾部
１８０２装飾部本体
１８０４  脚部
１８０６  結合部
１８０６Ａ  一対の爪体
２０  容器本体
２００２  底板部
２００４  側板部
２０１０  仕切り板
２０２０  中央仕切り板
２０２２  側部仕切り板
２０３０  仕切り板
２２  蓋板
２２０６  表面板部
２２０８  揮散孔
２４  薬剤収縮用案内部
２６  装飾部用案内部
２８  固定装飾部
【図１】
2019129987.tif 000003
【図２】
2019129987.tif 000004
【図３】
2019129987.tif 000005
【図４】
2019129987.tif 000006
【図５】
2019129987.tif 000007
【図６】
2019129987.tif 000008
【図７】
2019129987.tif 000009
【図８】
2019129987.tif 000010
【図９】
2019129987.tif 000011
【図１０】
2019129987.tif 000012
【図１１】
2019129987.tif 000013
【図１２】
2019129987.tif 000014
【図１３】
2019129987.tif 000015